(57)【特許請求の範囲】
【請求項１】
吸引アダプタを接続した複数の枝管を有するバキューム本管の一方の端末に気液分離器と給気ブロワとを連設し、吸気ブロワの吸引力にて各吸引アダプタから吸引された吸引物を気液分離器内に搬送する歯科用セントラルバキューム配管システムにおいて、各吸引アダプタからの吸引物をバキューム本管内に滞らせることなく搬送するためにバキューム本管内に所要の空気量を供給する開閉弁を各枝管に連設するとともに、前記開閉弁は、開閉弁に連結された吸引アダプタの使用時に該開閉弁の給気口側を閉鎖すると同時に吸引アダプタ側を開口して吸引状態にし、吸引アダプタの不使用時に該開閉弁の吸引アダプタ側を閉鎖すると同時に給気口側を開口する三方切替弁であることを特徴とする歯科用セントラルバキューム配管システム。
【請求項２】
前記三方切替弁は、該三方切替弁に連結された吸引アダプタをその掛止台から取り上げまたは掛止すると同時に電磁操作にて自動的に開閉の切り替え操作が行われる構成にしたことを特徴とする請求項１記載の歯科用セントラルバキューム配管システム。
【発明の詳細な説明】
【０００１】
【発明の属する技術分野】
本発明は歯科診療中に複数の診療台から発生する切削粉塵、注水、唾液等を集中的に吸引除去する歯科用セントラルバキューム配管システムに関する。
【０００２】
【従来の技術】
歯科医療施設においては、歯を治療する際に生じる切削粉塵、注水、唾液等を口腔内から吸引除去したり、あるいは歯科技工の際に生じる切削粉塵を吸引除去したりすることが必要である。そして、これらの処理をする装置の例としては、例えば特公平３−７５１７７号公報に開示されたセントラルバキューム配管システムが知られている。
【０００３】
このセントラルバキューム配管システムは、図６に示すように、バキューム本管１の長手方向における各所に、複数の枝管４が接続されており、この枝管４の端部には、電磁弁５とフィルタ６が連設され、さらにフィルタ６には、患者の口腔内に入れ、口腔内の注水、唾液、切削粉塵等を空気とともに吸引するアダプタ７が吸引ホース８を介して連設されている。
【０００４】
バキューム本管１の一方の端末には、各診察台に備えられたアダプタ７からの吸引物を気液に分離する気液分離器２と吸気ブロワ３とが連設され、他方の端末にはリターン管１０を連設するとともに、リターン管１０の端部に、バキューム本管１内に洗浄液を流すための洗浄液供給装置１１が接続され、さらにバキューム本管１内の風速を２０ｍ／ｓｅｃ以上にして吸引物や水分を気液分離器２内に効率よく送り込むための大風量を供給する開閉弁１２が設けられている。また、給気ブロワ３の近傍には、開閉弁１２、洗浄液供給装置１１及び吸気ブロワ３を集中操作する操作盤１３が設けられている。
なお、図中の符号９は排水管、１４は診療台を示す。
【０００５】
この構成のセントラルバキューム配管システムの作用としては、１か所以上の枝管４に連設された電磁弁５が開放されてアダプタ７が使用状態にあるときには、リターン管１０端末に設けられた開閉弁１２が閉鎖状態となり、吸気ブロワ３の駆動によって管内が吸気状態になる。また全ての枝管４の電磁弁５が閉鎖状態、即ち、全てのアダプタ７を使用していないときには、開閉弁１２を所定時間開放してバキューム本管１内に大量の空気を供給し、バキューム本管内に滞留している水、唾液、切削粉塵等を気液分離器２に空気とともに搬送する。また診療終了時には吸気ブロワ３の吸引力により洗浄液供給槽１１から洗浄液をバキューム本管１内に供給して管内を洗浄することができるように構成している。これらの動作は、操作盤１３の集中操作により各電磁弁５から送られる電気信号に基づいて自動的に行われる。またこの間の吸気ブロワ３は常に駆動状態になっている。
【０００６】
【発明が解決しようとする課題】
しかしながら、従来のセントラルバキューム配管システムは、アダプタ７の使用中に発生する吸引物を完全に搬送することが困難であるため、バキューム本管１内に吸引物が滞留する。従って、この滞留した吸引物によりアダプタ７の吸引力が低下する。また、この滞留した吸引物を完全に搬送しきるためにバキューム本管１内に大量の空気を流す開閉弁１２が、バキューム本管１端末の１か所だけに設けられていることにより、この開閉弁１２が故障するとシステム全体が使用不可能になるという問題がある。
【０００７】
よって本発明は前記問題点に鑑みてなされたものであり、管内に吸引物が常時滞留しないようにするとともに、バキューム本管内に空気を供給する開閉弁に支障が生じてもバキューム本管内の吸引物を常に安定して搬送することができるセントラルバキューム配管システムの提供を目的とする。
【０００８】
【課題を解決するための手段】
上記目的を達成するため、本発明は、吸引アダプタを連設した複数の枝管を有するバキューム本管の一方の端末に気液分離器と給気ブロワとを連設して、各吸引アダプタから吸引された吸引物をブロワの吸引力にて気液分離器内に搬送する歯科用セントラルバキューム配管システムにおいて、各吸引アダプタからの吸引物をバキューム本管内に滞らせることなく搬送するための所要の空気量をバキューム本管内に供給する開閉弁を各枝管に連設たことを特徴とする。
【０００９】
また、前記開閉弁は、開閉弁に連結された吸引アダプタの使用時に該開閉弁の給気口側を閉鎖すると同時に吸引アダプタ側を開口して吸引状態にし、吸引アダプタの不使用時に該開閉弁の吸引アダプタ側を閉鎖すると同時に給気口側を開口する三方切替弁であることを特徴とするものである。
【００１０】
本発明によれば、従来のセントラルバキューム配管システムでは１か所だけに開閉弁が設けられていたために、その開閉弁が故障するとシステム全体が使用不可能になったが、本発明では開閉弁を各枝管に分散して設けているので、そのうちの１か所が故障しても他の開閉弁の開放によりシステム全体に支障を及ぼすことがなく診療を継続することができる。
【００１１】
【発明の実施の形態】
以下、本発明の実施の形態を図面とともに具体的に説明する。
【００１２】
【発明の実施の形態１】
図１から図４は本発明の実施の形態１を示し、図１はセントラルバキューム配管システムの概略図、図２は三方切替弁の概略断面図、図３及び図４は三方切替弁の作動説明図である。
【００１３】
本発明のセントラルバキューム配管システムは、バキューム本管１の一方の端末に気液分離器２と吸気ブロワ３とが連設され、バキューム本管１の他方の端末にはバキューム本管１内に洗浄液を流すための洗浄液供給装置１１が連結管１１ａを介して連結され、さらにバキューム本管１の長手方向における各所に、複数の枝管４が接続されている。
【００１４】
本発明ではこの枝管４の各端末部に、電磁力による開閉切替操作が可能な三方切替弁１５の接続口３２を連結している。この三方切替弁１５は、その側方における一方の接続口３１に、患者の口腔内に入れ、口腔内の注水、唾液、切削粉塵等を空気とともに吸引するアダプタ７を吸引ホース８を介して連設し、他方を給気口３３としている。なお、前記の洗浄液供給装置１１は前記従来の技術の項における特公平３−７５１７７号公報に開示されたシステムに用いられたものと同等の市販品を用いる。
【００１５】
また、セントラルバキューム配管システムには、この全体を制御するたの操作盤１３が給気ブロワ３近傍の１か所に設けられている。この操作盤１３に対しては配線１６を介して三方切替弁１５が、配線１７を介して吸引ブロワ３が、配線１８を介して洗浄液供給装置１１が、配線１９を介して吸引アダプタ７を掛止する掛止台２０が電気的に連結されていて、１か所にてシステム全体を集中操作することができるように構成している。なお掛止台２０における吸引アダプタ７の掛止部には、吸引アダプタ７を掛止または取り外したことを感知してその電気信号を操作盤１３に送るための図示しないスイッチが設けられている。
【００１６】
また、三方切替弁１５の接続口３２側流路Ｓ２の奥端にはその開口部３２ａの面に接離して接続口３１側流路Ｓ１との連通または遮断をするダイヤフラム弁４１が設けられている。
【００１７】
一方、流路Ｓ２に連通する流路Ｓ２１の一端にはシャトル４２の上下動により空気供給口３３の開閉を切替えする切替え機構４５を備えている。さらに、ダイヤフラム弁４１上面側の空気室Ｓ３が連結管４６を介して切替え機構４５の上部空気室Ｓ４に連結され、また切替え機構４５の下部空気室Ｓ５内にはバネ４８がシャトル４２を押し上げる方向に配設されているとともに、空気室Ｓ５は流路Ｓ２が連結されている。
【００１８】
そして、シャトル４２は空気室Ｓ４及びＳ５がともに負圧の場合はバネの弾性力にて上方に押し上げられ、Ｓ４側が大気圧でＳ５側が負圧の場合にはバネの弾性力に抗して押し下げられて空気室Ｓ２１が給気口３３に連通するように構成している。また、ダイヤフラム弁４１の上面側空気室Ｓ３の上方に設けられ、流路Ｓ６に連通した電磁弁４３の流路Ｓ７が連結管４７を介して枝管４側の流路Ｓ２に連結されている。
【００１９】
この構成の三方切替弁１５を各枝管４に連設したセントラルバキューム配管システムは、吸引アダプタ７の全てがその掛止台２０に掛止されている状態、即ち、全部が使用されていない状態では、掛止台２０に設けられた全てのスイッチがＯＦＦに作動するので，このＯＦＦの信号により操作盤は全システムを休止状態にする。このとき、三方切替弁１５はダイヤフラム弁４１の表裏面が大気圧となり、フリーな状態となって図２に示すとおり、流路Ｓ２の奥端開口部３２ａに軽く接した状態になっている。
【００２０】
また、掛止台２０から吸引アダプタ７の１本でも取り上げると、その部分の掛止台２０側に設けられたスイッチがＯＮに作動し、操作盤１３の指令により給気ブロワ３が駆動するとともに図３に示すように電磁弁４３が作動してスプール４４が上昇する。これにより給気口３４がスプール４４にて閉鎖され、流路Ｓ６とＳ７及びＳ２とが連通して空気室Ｓ３が負圧になる。
【００２１】
このとき、空気室Ｓ３側の負圧とその裏面側における流路Ｓ１の大気圧との差圧にてダイヤフラム弁４１が上方に引き上げられて流路Ｓ１とＳ２とが連通する。一方、切替機構４５空気室Ｓ４及びＳ５が共に負圧（両者が等圧）になるのでシャトル４２がバネの弾性力により上昇させられ、流路Ｓ２１と空気供給口３３との間が遮断される。これにより流路Ｓ１に連結した吸引アダプタ７が吸引状態となって治療作業の開始が可能になる。
【００２２】
再び吸引アダプタ７を掛止台２０に掛止すると、掛止台２０のスイッチがＯＦＦに作動して図４に示すように電磁弁４３のスプール４４が下降し、給気口３４が空気室Ｓ３と連通して空気室Ｓ３が大気圧になることによりダイヤフラム弁４１は流路Ｓ２側の負圧により引きつけられて開口部３２ａを閉鎖する。一方、空気室Ｓ３に連通している切替機構４５の空気室Ｓ４も大気圧になるが、空気室Ｓ５の方は負圧になっているためシャトル４２がバネ４８の弾性力に抗して引き下げられ、流路Ｓ２１と給気口３３とが連通し、バキューム本管１内に大量の外気が供給される。
【００２３】
また、吸引アダプタ７の全数をその掛止台２０に掛止すると、操作盤１３は各掛止台２０のスイッチが全てＯＦＦになったことを検知して給気ブロワ３を停止させる。
【００２４】
本実施の形態における、セントラルバキューム配管システムの本管１の管径は４０ｍｍで、管内の風速は、吸引アダプタ７からの給気、あるいは給気口１５ａからの給気により、システムの作動中は常時、２０ｍ／ｓｅｃ以上を保つように設定されている。
【００２５】
以上により、バキューム本管１内の風速は常に２０ｍ／ｓｅｃ以上になっているので、吸引アダプタ７から吸引された注水、唾液、切削粉塵等はバキューム本管１内に滞留することがなく、定常的に気液分離器２に搬送される。また診療終了時にはバキューム本管１内を清潔にするために、洗浄液供給槽１１からの洗浄液を給気ブロワ３の吸引力にて管内に供給し、バキューム本管１内全体を洗浄することが可能である。また、これらの操作は全て１箇所の操作盤１３の指令により行われる。
【００２６】
また、本実施の形態におけるバキューム本管１の径は、管内の各部の風速を平均的に２０ｍ／ｓｅｃ以上にするために、バキューム本管１の管径を端末に向かって徐々細くすることが効果的である。
【００２７】
本実施の形態１によれば、吸引物を管内に滞留させることなく常時安定して搬送することができるとともに、開閉弁の１か所が故障しても他の開閉弁の作動によりシステム全体の操作に支障を及ぼさない。
【００２８】
【発明の実施の形態２】
図５は本発明の実施の形態２を示す三方切替弁の概略断面図である。
本実施の形態では、前記実施の形態１の三方切替弁１５における切替機構４５が、給気ブロワ３の吸引力による負圧と大気圧との差圧によって切り替える機構であったことに替えて、電磁力により切り替える切替機構５０を設けたものであり、その他の構成については前記実施の形態１と同一構成部分について同一符号を付してその説明を省略する。
【００２９】
本実施の形態の切替機構５０は、操作盤１３の指令に基づきダイヤフラム弁４１に作動に連係して電磁機構５１にてシャトル４２を上下動させることにより、給気口３３と流路２１との連通または遮断を行うものであり、その他の作用は前記実施の形態１と同様であるので、その説明を省略する。
【００３０】
【発明の効果】
本発明によれば、開閉弁を各枝管に分散して設けたことにより、吸引物をバキューム本管内に滞留させることなく、常時安定した搬送を行うことができる。これによりバキューム本管内に吸引物が滞留しないので吸引アダプタの吸引性能が低下しない。また開閉弁の１か所が故障しても他の開閉弁の作動によりシステム全体の操作に支障を及ぼさない。従って、診療が中断しない。
【図面の簡単な説明】
【図１】本発明のセントラルバキューム配管システムを示す図。
【図２】本発明に用いる三方切替弁の断面図。
【図３】三方切替弁の作動説明図。
【図４】三方切替弁の作動説明図。
【図５】三方切替弁の他の例を示す図。
【図６】従来のセントラルバキューム配管システムの説明図。
【符号の説明】
１  バキューム本管
２  気液分離器
３  吸気ブロワ
４  枝管
７  吸引アダプタ
８  吸引ホース
９  排水管
１１  洗浄液供給装置
１３  操作盤
１４  診療台
１５  三方切替弁
１６，１７，１８，１９配線
２０  掛止台
３１，３２  接続口
３３，３４  給気口
４１  ダイヤフラム弁
４２  シャトル
４３  電磁弁
４４  スプール
４５，５０  切替え機構
４６，４７  連絡管
４８  バネ
５１  電磁機構
【図１】
0003626266.tif 000002
【図２】
0003626266.tif 000003
【図３】
0003626266.tif 000004
【図４】
0003626266.tif 000005
【図５】
0003626266.tif 000006
【図６】
0003626266.tif 000007